(57)【要約】【課題】着け心地の低下を抑制しつつ、指輪の装着安定性を向上できる指輪用固定具を提供することを目的とする。【解決手段】本発明の指輪用固定具１は、リング部１０１を有する指輪１００に挿着してリング部１０１と手指との間の隙間を調節する指輪用固定具１であって、リング部１０１に内嵌される環状の内嵌部２を備え、内嵌部２の内周面２ａが全周に亘って前記手指に接触可能なことを特徴とする。内嵌部２が金属又は弾性材料により形成されていることが好ましい。【選択図】図１
2018000743.tif 000002
【特許請求の範囲】
【請求項１】
リング部を有する指輪に挿着して前記リング部と手指との間の隙間を調節する指輪用固定具であって、
前記リング部に内嵌される環状の内嵌部を備え、
前記内嵌部の内周面が全周に亘って前記手指に接触可能なことを特徴とする指輪用固定具。
【請求項２】
前記内嵌部が金属により形成されている請求項１に記載の指輪用固定具。
【請求項３】
前記金属がチタンである請求項２に記載の指輪用固定具。
【請求項４】
前記内嵌部が弾性材料により形成されている請求項１に記載の指輪用固定具。
【請求項５】
前記弾性材料が、ゴム、エラストマー又はこれらの組み合わせである請求項４に記載の指輪用固定具。
【請求項６】
前記内嵌部の外周面の一方の縁部にフランジ部が形成されており、
前記内嵌部の外周面と前記フランジ部とのなす角が直角よりも小さい角度であり、
前記内嵌部及び前記フランジ部により前記指輪のリング部を挟持できるように形成されている請求項４又は請求項５に記載の指輪用固定具。
【請求項７】
前記内嵌部の外周面の両縁部にフランジ部が形成されており、
前記フランジ部の少なくとも一方が弾性材料により形成されており、
前記内嵌部及び２つの前記フランジ部により前記指輪のリング部を挟持できるように形成されている請求項４又は請求項５に記載の指輪用固定具。
【請求項８】
前記内嵌部の外周面に切り欠き部が形成されており、
前記内嵌部の外径が前記指輪のリング部の内径よりも大きい請求項４又は請求項５に記載の指輪用固定具。
【発明の詳細な説明】
【技術分野】
【０００１】
本発明は、リング部を有する指輪に挿着して、リング部と手指との間の隙間を調節する指輪用固定具に関する。
【背景技術】
【０００２】
従来、指輪のリング部の内径よりも手指のサイズが小さい場合において指輪の装着安定性を高めるために、リング部と手指との間の隙間を調節可能な指輪用固定具が知られている。
【０００３】
例えば特許文献１では、つる巻きバネを用いた指輪用固定具が提案されている。この固定具のつる巻きバネを指輪のリング部に巻き付けた状態で指輪を手指に装着すると、指輪の装着安定性をある程度高めることができる。
【先行技術文献】
【特許文献】
【０００４】
【特許文献１】特開２０１２−１１５４９８号公報
【発明の概要】
【発明が解決しようとする課題】
【０００５】
しかし、特許文献１に記載の指輪用固定具では、つる巻きバネが手指に食い込むため、着け心地が低下する。また、つる巻きバネと手指との接触面積が小さいため、指輪のリング部の内径寸法によっては装着安定性の向上が困難となる。
【０００６】
また、指輪と手指との間に正面視Ｃ字形状の固定具を挿着して指輪の装着安定性を高めることも検討されているが、Ｃ字形状の開放部分が手指に食い込むため、着け心地が低下する。
【０００７】
そこで、本発明においては、着け心地の低下を抑制しつつ、指輪の装着安定性を向上できる指輪用固定具を提供することを目的とする。
【課題を解決するための手段】
【０００８】
（１）  本発明の指輪用固定具は、リング部を有する指輪に挿着して前記リング部と手指との間の隙間を調節する指輪用固定具であって、前記リング部に内嵌される環状の内嵌部を備え、前記内嵌部の内周面が全周に亘って前記手指に接触可能なことを特徴とする指輪用固定具である。
【０００９】
前記（１）の指輪用固定具によれば、リング部に内嵌される内嵌部の内周面が全周に亘って手指に接触可能であるため、手指への局所的な圧迫感を抑制できる。これにより、着け心地の低下を抑制できる。また、内嵌部の内周面が全周に亘って手指に接触可能であるため、固定具と手指との接触面積を大きくすることができる。これにより、指輪の装着安定性を向上できる。なお、「内嵌部の内周面が全周に亘って手指に接触可能である」とは、手指に装着した状態の内嵌部の内周面において手指に接触する箇所が周方向に途切れないことを意味する。よって、内嵌部の内周面の全てが手指に接触する必要はなく、例えば内嵌部の内周面に文字が刻まれている場合のように内嵌部の内周面において手指に接触する箇所の幅が周方向に変化する場合も含まれる。
【００１０】
（２）  前記（１）の指輪用固定具において、前記内嵌部が金属により形成されていることが好ましい。内嵌部を金属により形成すると内嵌部に光沢を発現させることができるため、指輪と組み合わせた際に指輪特有の質感を損なわず、デザイン性に優れた固定具とすることができる。なお、「内嵌部が金属により形成されている」とは、「内嵌部が金属のみからなること」、及び「内嵌部の一部に金属以外の材料が使用されていること」の双方を含む。従って、例えば光沢等が必要ない箇所（内嵌部の内部等）に金属以外の材料が使用されていてもよい。後述する「内嵌部が弾性材料により形成されている」についても同様である。
【００１１】
（３）  前記（２）の指輪用固定具において、前記金属がチタンであることが好ましい。一般に金属はアレルギーを引き起こしやすく、肌荒れ等の原因になりうるが、チタンについてはアレルギーを引き起こしにくいため安心して使用できる。
【００１２】
（４）  前記（１）の指輪用固定具において、前記内嵌部が弾性材料により形成されていることが好ましい。この構成によれば、手指のサイズが変化した場合にも内嵌部が手指に追従できるため、指輪の装着安定性をより向上できる。
【００１３】
（５）  前記（４）の指輪用固定具において、前記弾性材料が、ゴム、エラストマー又はこれらの組み合わせであることが好ましい。弾性材料として上記特定の材料を選択することにより、指輪の装着安定性を更に向上できる。
【００１４】
（６）  前記（４）又は（５）の指輪用固定具において、前記内嵌部の外周面の一方の縁部にフランジ部が形成されており、前記内嵌部の外周面と前記フランジ部とのなす角が直角よりも小さい角度であり、前記内嵌部及び前記フランジ部により前記指輪のリング部を挟持できるように形成されていることが好ましい。この構成によれば、内嵌部とフランジ部とでリング部を挟持した状態で内嵌部の弾性によりリング部と内嵌部とを確実に固定できるため、リング部と内嵌部との接着作業を省略できる。これにより、固定具の挿着作業性を向上できる。
【００１５】
（７）  前記（４）又は（５）の指輪用固定具において、前記内嵌部の外周面の両縁部にフランジ部が形成されており、前記フランジ部の少なくとも一方が弾性材料により形成されており、前記内嵌部及び２つの前記フランジ部により前記指輪のリング部を挟持できるように形成されていることが好ましい。この構成によれば、弾性材料により形成されたフランジ部側から当該フランジ部を撓ませながらリング部に挿着させることができる。また、内嵌部と両フランジ部とでリング部を挟持した状態で、弾性材料により形成されたフランジ部及び内嵌部の弾性によりリング部と内嵌部とを確実に固定できるため、リング部と内嵌部との接着作業を省略できる。これにより、固定具の挿着作業性を向上できる。
【００１６】
（８）  前記（４）又は（５）の指輪用固定具において、前記内嵌部の外周面に切り欠き部が形成されており、前記内嵌部の外径が前記指輪のリング部の内径よりも大きいことが好ましい。この構成によれば、内嵌部の切り欠き部の周囲の弾性材料を切り欠き部側に撓ませながらリング部に挿着させることができる。また、内嵌部の弾性によりリング部と内嵌部とを確実に固定できるため、リング部と内嵌部との接着作業を省略できる。これにより、固定具の挿着作業性を向上できる。
【発明の効果】
【００１７】
本発明の指輪用固定具によれば、着け心地の低下を抑制しつつ、指輪の装着安定性を向上できる。
【図面の簡単な説明】
【００１８】
【図１】本発明の第１実施形態に係る指輪用固定具の形状を示す斜視図である。
【図２】第１実施形態に係る指輪用固定具を指輪に挿着した状態を示す正面図である。
【図３】本発明の第２実施形態に係る指輪用固定具の形状を示す正面図である。
【図４】第２実施形態に係る指輪用固定具を指輪に挿着した状態を示す断面図である。
【図５】本発明の第３実施形態に係る指輪用固定具を指輪に挿着した状態を示す断面図である。
【図６】第３実施形態の変形例に係る指輪用固定具を指輪に挿着した状態を示す断面図である。
【図７】本発明の第４実施形態に係る指輪用固定具の形状を示す正面図である。
【図８】第４実施形態に係る指輪用固定具を指輪に挿着した状態を示す正面図である。
【発明を実施するための形態】
【００１９】
以下、本発明の指輪用固定具（以下、単に「固定具」ともいう）の好適な実施形態について説明する。なお、参照する図面については、理解しやすくするため、寸法、比率等を誇張して描いている箇所がある。
【００２０】
＜第１実施形態＞
本発明の第１実施形態に係る固定具１は、図１に示すように環状の内嵌部２からなる。この内嵌部２を指輪１００のリング部１０１に内嵌することによって指輪１００に固定具１を挿着して、リング部１０１と手指（図示せず）との間の隙間を調節することができる。なお、図１に示す指輪１００は、リング部１０１に台座部１０２が設けられているが、本発明の固定具を挿着する指輪は台座部が設けられていないものであってもよい。
【００２１】
図２に示すように固定具１を指輪１００のリング部１０１に内嵌した状態で、手指（図示せず）に装着する際、内嵌部２の内周面２ａが全周に亘って手指に接触可能である。これにより、指輪１００を手指に装着した際の手指への局所的な圧迫感を抑制できるため、着け心地の低下を抑制できる。加えて、固定具１と手指との接触面積を大きくすることができるため、指輪１００の装着安定性を向上できる。なお、内嵌部２の形状及び大きさは、特に限定されず、リング部１０１、台座部１０２、装着する手指等を考慮し、内嵌部２の内周面２ａが全周に亘って手指に接触できるように適宜設定すればよい。
【００２２】
なお、本実施形態では、内嵌部２の外周面２ｂが全周に亘ってリング部１０１に接触しているが、内嵌部２とリング部１０１とを固定できる限り、内嵌部２の外周面２ｂの一部がリング部１０１と接触していなくてもよい。
【００２３】
内嵌部２の材料としては、例えば金属、高分子材料（熱可塑性樹脂、熱硬化性樹脂、ゴム、エラストマー等）、木材（セルロース、カーボン等）、ガラス、セラミック、繊維材料（ナノセルロースファイバー等）などが挙げられる。
【００２４】
なかでも、内嵌部２が金属により形成されていると内嵌部２に光沢を発現させることができるため、指輪１００と組み合わせた際にその質感を損なわず、デザイン性に優れた固定具１とすることができる。
【００２５】
上記金属としては、金、銀、白金等の貴金属や、鉄、銅、鉛、亜鉛、チタン、アルミニウム、スズ、ゲルマニウム、マグネシウム、コバルト、ジルコニウム、バナジウム、マンガン、ニッケル等の卑金属、あるいはこれらの合金、ステンレス鋼等が挙げられる。なかでも、内嵌部２がチタンにより形成されていることが好ましい。一般に金属はアレルギーを引き起こしやすく、肌荒れ等の原因になりうるが、チタンについてはアレルギーを引き起こしにくいため安心して使用できる。
【００２６】
また、内嵌部２が弾性材料により形成されていてもよい。この構成によれば、手指のサイズが変化した場合にも内嵌部２が手指に追従できるため、指輪１００の装着安定性をより向上できる。
【００２７】
上記弾性材料としては、弾性を有する各種の高分子材料が挙げられるが、なかでもゴム、エラストマー又はこれらの組み合わせが好ましい。弾性材料として上記特定の材料を選択することにより、指輪１００の装着安定性を更に向上できる。
【００２８】
上記ゴムとしては、例えば天然ゴム、イソプレンゴム、シス−１，４−ポリブタジエン、シンジオタクチック−１，２−ポリブタジエン、スチレン−ブタジエン共重合体ゴム、アクリロニトリル−ブタジエンゴム、クロロプレンゴム等が挙げられる。
【００２９】
上記エラストマーとしては、例えばスチレン系エラストマー、シリコーン系エラストマー、オレフィン系エラストマー、ジエン系エラストマー、塩化ビニル系エラストマー、塩素化ポリエチレン系エラストマー、ポリウレタン系エラストマー、ポリエステル系エラストマー、ポリアミド系エラストマー、フッ素樹脂系エラストマー等が挙げられる。
【００３０】
固定具１の製造方法は、特に限定されず、使用する材料に応じた製造方法を選択できる。例えば旋盤、ヤスリ等を用いた切削による方法や、リング部１０１及び装着する手指をスキャンし、３Ｄプリンタにより最適な大きさ及び形状の固定具１を製造する方法などが挙げられる。
【００３１】
固定具１を指輪１００のリング部１０１に挿着する方法は、固定具１の内嵌部２と、指輪１００のリング部１０１とを固定できる方法であれば特に限定されない。固定方法としては、例えば内嵌部２とリング部１０１とを接着剤、レーザー溶接、ロウ付け、はんだ付け等により接着する方法が挙げられる。
【００３２】
また、内嵌部２が弾性材料により形成されており、かつ内嵌部２の外径がリング部１０１の内径よりも大きい場合は、内嵌部２を撓ませながらリング部１０１に挿着することによって、内嵌部２の弾性により内嵌部２とリング部１０１とを固定できるため、上述した接着作業を省略できる。これにより、固定具１の挿着作業性を向上できる。
【００３３】
また、リング部１０１が凹凸形状を有する場合は、リング部１０１の凹凸形状に合わせて内嵌部２を製造すれば、嵌合により内嵌部２とリング部１０１とを固定することもできる。この場合も上述した接着作業を省略できるため、固定具１の挿着作業性を向上できる。
【００３４】
また、内嵌部２の表面は、デザイン性を高めるために加工してもよい。例えば唐草模様等の模様や文字を入れたり、鏡面仕上げ、艶消し仕上げ等の表面処理を施してもよい。
【００３５】
内嵌部２の厚みＴ（図２参照）は、特に限定されないが、例えば０．１ｍｍ〜５．０ｍｍ程度であり、０．１ｍｍ〜０．５ｍｍが好ましい。なお、内嵌部２の厚みＴは、周方向に一定であっても変化してもよい。
【００３６】
内嵌部２の幅についても特に限定されず、リング部１０１の形状に合わせて設定すればよい。なお、内嵌部２の幅は、周方向に一定であっても変化してもよい。また、内嵌部２の幅は、リング部１０１の幅と同一であっても異なっていてもよく、リング部１０１の幅と異なる場合、リング部１０１の幅より大きくても小さくてもよい。例えば台座部１０２の幅がリング部１０１の幅より大きい場合、内嵌部２のうち台座部１０２に対応する箇所の幅を台座部１０２に合わせて拡げてもよい。
【００３７】
なお、本実施形態では内嵌部２の内周面２ａの縁部がＲ面取り加工されていない例を示したが、着け心地向上のため、内嵌部２の内周面２ａの縁部がＲ面取り加工されていてもよい。
【００３８】
また、本実施形態では内嵌部２の内周面２ａが挿着方向（図１の矢印Ａ方向）に対して平面形状を有している例を示したが、内周面２ａが挿着方向に対して曲面形状を有していてもよい。その場合、例えば内周面２ａの曲面形状の頂部が全周に亘って手指に接触可能であればよい。
【００３９】
＜第２実施形態＞
次に、本発明の第２実施形態に係る固定具１０について説明する。なお、上述した本発明の第１実施形態に係る固定具１と同一の構成要素については同一の符号を付し、その説明を省略する。
【００４０】
図３に示すように、第２実施形態に係る固定具１０は、弾性材料により形成された内嵌部２と、この内嵌部２の外周面２ｂのうち図中下半分（台座部１０２に対応する箇所とは反対側）の一方の縁部に形成されたフランジ部１１とを備える。
【００４１】
また、固定具１０を指輪１００に挿着した状態を示す断面図である図４に示すように、内嵌部２の外周面２ｂとフランジ部１１とのなす角θ１が直角よりも小さい角度である。また、内嵌部２及びフランジ部１１によりリング部１０１を挟持できるように、内嵌部２及びフランジ部１１の寸法が調整されている。これにより、図４に示すように内嵌部２とフランジ部１１とでリング部１０１を挟持した状態で内嵌部２の弾性によりリング部１０１と内嵌部２とを確実に固定できる。その結果、リング部１０１と内嵌部２との接着作業を省略できるため、固定具１０の挿着作業性を向上できる。
【００４２】
フランジ部１１の形成材料は特に限定されず、例えば上述した固定具１の内嵌部２と同様の材料により形成できる。また、フランジ部１１と内嵌部２とは、同一の材料であっても異なる材料であってもよいが、同一の材料であればフランジ部１１と内嵌部２とを一体成形できるため好ましい。
【００４３】
図４に示すように、内嵌部２の幅Ｗ１とフランジ部１１の幅Ｗ３との差（Ｗ１−Ｗ３）はリング部１０１の幅Ｗ２よりも大きい。これにより、リング部１０１から内嵌部２が外れることを防止できるため、指輪１００の装着安定性をより向上させることができる。なお、本実施形態では上記差（Ｗ１−Ｗ３）がリング部１０１の幅Ｗ２より大きい例を示したが、リング部１０１と内嵌部２とを固定できる限り、上記差（Ｗ１−Ｗ３）はリング部１０１の幅Ｗ２より小さくても同程度であってもよい。
【００４４】
フランジ部１１の幅Ｗ３については、リング部１０１を固定し且つ強度を維持できる限り特に限定されないが、デザイン性の観点から上記差（Ｗ１−Ｗ３）より小さいほうが好ましい。
【００４５】
内嵌部２の外周面２ｂとフランジ部１１とのなす角θ１の大きさは、リング部１０１と内嵌部２とを固定できる限り特に限定されないが、例えば４５°〜８５°程度である。
【００４６】
なお、本実施形態ではフランジ部１１の外周面がリング部１０１の外周面より内側になるように形成されているが、フランジ部１１の外周面とリング部１０１の外周面とが面一になっていてもよく、フランジ部１１の外周面がリング部１０１の外周面より外側になっていてもよい。
【００４７】
内嵌部２の外周面２ｂにおけるフランジ部１１が形成される領域は、リング部１０１と内嵌部２とを固定できる限り特に限定されないが、本実施形態のように台座部１０２に対応する箇所とは反対側にフランジ部１１を形成すると、台座部１０２のデザイン性を損なわないため好ましい。また、フランジ部１１の数についても特に限定されない。
【００４８】
＜第３実施形態＞
次に、本発明の第３実施形態に係る固定具２０について説明する。なお、上述した本発明の第２実施形態に係る固定具１０と同一の構成要素については同一の符号を付し、その説明を省略する。
【００４９】
図５に示すように、第３実施形態に係る固定具２０は、内嵌部２の外周面２ｂの両縁部にフランジ部１１及びフランジ部２１が形成されており、フランジ部１１及びフランジ部２１の少なくとも一方が弾性材料により形成されている。また、内嵌部２、フランジ部１１及びフランジ部２１によりリング部１０１を挟持できるように、内嵌部２、フランジ部１１及びフランジ部２１の寸法が調整されている。その他は、上述した固定具１０と同様である。固定具２０は、この構成を備えることによって、弾性材料により形成されたフランジ部側から当該フランジ部を撓ませながらリング部１０１に挿着させることができる。また、内嵌部２と両フランジ部１１，２１とでリング部１０１を挟持した状態で、弾性材料により形成されたフランジ部及び内嵌部２の弾性によりリング部１０１と内嵌部２とを確実に固定できる。これにより、リング部１０１と内嵌部２との接着作業を省略できるため、固定具２０の挿着作業性を向上できる。
【００５０】
なお、図６に示す固定具２０の変形例のように、リング部１０１の内周面の縁部がＲ面取り加工されている場合は、フランジ部１１及びフランジ部２１をリング部１０１の内周面のＲ面取り加工された縁部に沿うように形成してもよい。
【００５１】
＜第４実施形態＞
次に、本発明の第４実施形態に係る固定具３０について説明する。なお、上述した本発明の第１実施形態に係る固定具１と同一の構成要素については同一の符号を付し、その説明を省略する。
【００５２】
図７に示すように、第４実施形態に係る固定具３０は、弾性材料により形成された内嵌部２を備え、この内嵌部２の外周面２ｂのうち図中下半分（台座部１０２に対応する箇所とは反対側）には切り欠き部３１が等間隔で３つ形成されている。そして、内嵌部２の外径がリング部１０１の内径よりも大きい。その他は、上述した固定具１と同様である。固定具３０は、この構成を備えることによって、内嵌部２の切り欠き部３１の周囲の弾性材料を切り欠き部３１側に撓ませながらリング部１０１に挿着させることができる（図８参照）。また、内嵌部２の弾性によりリング部１０１と内嵌部２とを確実に固定できるため、リング部１０１と内嵌部２との接着作業を省略できる。これにより、固定具３０の挿着作業性を向上できる。
【００５３】
切り欠き部３１の切れ込み角θ２の大きさは、例えば１０°〜１２０°程度である。切れ込み角θ２の大きさは、各切り欠き部３１において相違していてもよい。
【００５４】
内嵌部２の外径とリング部１０１の内径との比は、リング部１０１と内嵌部２とを固定できる限り特に限定されない。また、本実施形態では切り欠き部３１を３つ設けているが、切り欠き部３１の数は内嵌部２の形状、大きさ、材料等により適宜設定すればよい。
【００５５】
なお、内嵌部２の外周面２ｂにおける切り欠き部３１が形成される領域は、リング部１０１と内嵌部２とを固定できる限り特に限定されないが、本実施形態のように台座部１０２に対応する箇所とは反対側に切り欠き部３１を形成すると、台座部１０２のデザイン性を損なわないため好ましい。
【００５６】
＜他の実施形態＞
以上、本発明の好適な実施形態について説明したが、本発明は上記実施形態には限定されない。例えば、薬指用の固定具と、この薬指用固定具より寸法が小さい固定具とを同心円状に組み合わせて、小指に装着する固定具として用いることもできる。
【産業上の利用可能性】
【００５７】
本発明の指輪用固定具は、着け心地の低下を抑制しつつ、指輪の装着安定性を向上できる指輪用固定具として好適である。
【符号の説明】
【００５８】
１，１０，２０，３０  指輪用固定具
２  内嵌部
２ａ  内嵌部の内周面
２ｂ  内嵌部の外周面
１１，２１  フランジ部
３１  切り欠き部
１００  指輪
１０１  リング部
１０２  台座部
【図１】
2018000743.tif 000003
【図２】
2018000743.tif 000004
【図３】
2018000743.tif 000005
【図４】
2018000743.tif 000006
【図５】
2018000743.tif 000007
【図６】
2018000743.tif 000008
【図７】
2018000743.tif 000009
【図８】
2018000743.tif 000010